(57)【要約】      （修正有）【課題】ウレタン製手摺ベルトに方向表示手段を設ける場合の接合耐久性である強度の向上と該方向表示手段の継続を実現する。【解決手段】ウレタン製手摺ベルト６において、その移動方向を表示し、エスカレーター１に乗り移る際のタイミングを図る目印となる手摺ベルト６とは異色のウレタン材でなる方向マーク片６Ａを、手摺ベルト６の長手方向表面に適宜の間隔を空けて複数個設け、手摺ベルト６と方向マーク片６Ａの接合部分にプライマー剤層とウレタン接着剤層を介在させ、これらを加熱、加圧して一体化した。また、その手摺ベルト６に対して、その移動方向を表示する、手摺ベルト６とは異色の方向マークと、注意文字、広告等を表示した表示部を有する印刷シートを手摺ベルト６の表面長手方向に沿って接着した。【選択図】図３
2018027853.tif 000002
【特許請求の範囲】
【請求項１】
往路から復路にかけて反転して移動する踏段と、この踏段と同期して欄干終端の反転部間を移動するウレタン製手摺ベルトを備えたエスカレーター用手摺ベルトにおいて、その移動方向を表示し、前記エスカレーターに乗り移る際のタイミングを図る目印となる手摺ベルトとは異色のウレタン材でなる方向マーク片を、手摺ベルトの長手方向表面に適宜の間隔を空けて複数個設け、該手摺ベルトと該方向マーク片の接合部分にプライマー剤層とウレタン接着剤層を介在させ、これらを加熱、加圧して一体化したことを特徴とするエスカレーター用手摺ベルト。
【請求項２】
請求項１でなるエスカレーター用手摺ベルトに対して、その移動方向を表示し、前記エスカレーターに乗り移る際のタイミングを図る目印となる前記手摺ベルトとは異色の方向マークと、注意文字、広告等を表示した表示部を有する印刷シートを前記手摺ベルトの表面長手方向に沿って接着により貼付けて設けたことを特徴とするエスカレーター用手摺ベルト。
【発明の詳細な説明】
【技術分野】
【０００１】  本発明は、移動する踏段が水平路あるいは傾斜路を形成して乗客輸送を行うエスカレーターの手摺ベルトの構成に関する。
【背景技術】
【０００２】  従来においてエスカレーターのウレタン製手摺ベルトの表面に乗降時の安全性を高める移動方向表示用方向マーク片（以下、方向マーク片と略す）を埋め込んで設ける構成は例えば特許文献１に開示されているように、すでに提案されている。また、手摺ベルトの表面に印刷シートを貼付けて方向表示マーク（以下、方向マークと略す）と、それに付加して注意文言及び広告表示を行う構成は、例えば特許文献２に開示されているように、既に提案されている。【０００３】  この特許文献１記載のエスカレーター用ウレタン製手摺ベルトは、該手摺ベルトと方向マーク片を単に熱接合する構成であった。また、特許文献２記載のエスカレーター用手摺ベルトは、該手摺ベルトの表面に単に方向マークや注意文言等を印刷した印刷シートを貼り付ける構成であった。
【先行技術文献】
【特許文献】
【０００４】
【特許文献１】特開２０１３−００６６９２号公報
【特許文献２】特許第４９８９８６３号公報
【発明の概要】
【発明が解決しようとする課題】
【０００５】  この特許文献１記載のエスカレーター用ウレタン製手摺ベルトは、該手摺ベルトと方向マーク片を接合する際の化学的処理が明確化されておらず接合強度に問題を残していた。また、特許文献２記載の手摺ベルトの表面に印刷シートを貼り付ける構成は、その印刷シートの寿命や表示内容の変更に際して印刷シートを剥ぎとってしまうと安全上重要な方向マークが存在しない期間（言い換えれば、安全機能がなく危険な期間）が生じてしまう問題があった。【０００６】  一方、最近のエスカレーター利用においては、利用層の高齢化もあって、エスカレーターの乗り場で動く踏段に乗り移る際、体重移動のタイミングを失して転倒する事故が相次いでいる。これは、乗り移らんとして凝視する踏段の色が黒っぽく、踏段の動き（速度）が認識できないことに起因している。また、エスカレーターの動き方向が認識できず、逆乗り込みをしてしまう事象があって方向マーク等の方向表示手段を設けた手摺ベルト仕様が一般化している。ここで、最近、その表面の美麗さと長寿命の面で従前の合成ゴムに代わって主流となっているウレタン製手摺ベルトについては、上記方向表示手段が接合強度（寿命）の問題で適用できない問題があった。加えて、印刷シートによって方向表示手段を設けるものは、その印刷シートの寿命や広告内容の変更により交換が必要になった場合、その交換期間は安全上必要な方向表示手段を失い、安全効果の継続性が保たれないという問題があった。【０００７】  本発明の目的は、ウレタン製手摺ベルトに方向表示手段を設ける場合の接合耐久性である強度の向上と該方向表示手段の継続を実現する構成としたエスカレーター用手摺ベルトを提供することにある。
【課題を解決するための手段】
【０００８】  上記目的を達成するために、本発明の請求項１は、往路から復路にかけて反転して移動する踏段と、この踏段と同期して欄干終端の反転部間を移動するウレタン製手摺ベルトを備えたエスカレーター用手摺ベルトにおいて、その移動方向を表示し、前記エスカレーターに乗り移る際のタイミングを図る目印となる手摺ベルトとは異色のウレタン材でなる方向マーク片を、手摺ベルトの長手方向表面に適宜の間隔を空けて複数個設け、該手摺ベルトと該方向マーク片の接合部分にプライマー剤層とウレタン接着剤層という化学的処理を施し、これらを加熱、加圧して一体化したことを特徴とするエスカレーター用手摺ベルトとしたのである。【０００９】  上記目的を達成するために、本発明の請求項２は、請求項１でなるエスカレーター用手摺ベルトに対して、その移動方向を表示し、前記エスカレーターに乗り移る際のタイミングを図る目印となる前記手摺ベルトとは異色の方向マークと、注意文字、広告等を表示した表示部を有する印刷シートを前記手摺ベルトの表面長手方向に沿って接着により貼付けて設けたことを特徴とするエスカレーター用手摺ベルトとしたのである。
【発明の効果】
【００１０】  上記請求項１の構成によれば、ウレタン製手摺ベルトの移動方向を表示する方向マーク片が存在することにより、エスカレーターに乗り込まんとする利用者（乗客）がエスカレーターの移動速度と方向が視覚的に認知できて、結果として踏段への乗り込みタイミング取りが容易となり、かつ逆乗り込み防止に役立つことになる。また、該手摺ベルトと該方向マーク片の接合部分にプライマー剤層とウレタン接着剤層という化学的処理を施し、これらを加熱、加圧して一体化したことにより、接合強度が向上する効果がある。【００１１】  上記請求項２の構成によれば、請求項１と同様に手摺ベルトの移動方向を表示する方向マーク等が印刷された印刷シートが追加されたことにより、請求項１の効果と同様にエスカレーターに乗り込まんとする利用者（乗客）がエスカレーターの移動速度と方向が視覚的に認知できて、結果として踏段への乗り込みタイミング取りが容易となり、かつ逆乗り込み防止に役立つことになる。また、該手摺ベルトの表面に貼り付けられた印刷シートにより方向マークと、注意文言や広告が印刷された表示部を有して安全及び広告効果を発揮しつつ、この印刷シートの破れや表示内容の変更が生じ、該印刷シートを交換するためそれを剥がした場合は、請求項１の方向マーク片が現出するので、方向表示手段の安全効果が失われず安全効果の継続性が保たれることになる。【００１２】  このように、本発明の請求項１及び２によれば転倒事故等を防止でき、接合強度の向上と安全表示手段の継続を図り得るエスカレーター用手摺ベルトを提供することができる。
【図面の簡単な説明】
【００１３】
【図１】本発明の請求項１の一実施形態を示す全体側面図。
【図２】本発明の図１のＸ−Ｘ線に沿う部分断面図。
【図３】本発明の請求項１の手摺ベルトの概念的単体斜視図。
【図４】本発明の請求項１の製造方法を説明する断面図。
【図５】本発明の請求項２を説明する図３相当の概念的単体斜視図。
【発明を実施するための形態】
【００１４】  以下、本発明の請求項１に係るエスカレーター用手摺ベルトの一実施の形態を図１〜図４に、請求項２に係るエスカレーター用手摺ベルトの一実施の形態を図５に基づいて説明する。
【００１５】  本発明のエスカレーター１は、上階床２Ａと下階床２Ｂに装架される主フレーム３と、無端状に連結されて往路から復路にかけて反転して移動する多数の踏段４と、この踏段４の両側に直立して側壁を形成する欄干５と、この欄干５の周縁の両反転部５Ａと５Ｂ間を移動する手摺ベルト６を備えている。また、手摺ベルト６は駆動歯車７の駆動チェーン８を介して駆動ローラ９等に伝達された動力によって摩擦駆動され、その往路は欄干５で、その復路は案内ローラ１０によって支持されている。
【００１６】  そして、本発明の請求項１の手摺ベルト６はウレタン（樹脂ともゴムとも称することがある）製であり、一般には略Ｃ字の馬蹄形に押し出し成型されて無端状に製造される。ここで、手摺ベルト６は、図１及び図２に示すように欄干５の高さＨに相当する反転部５Ａ、５Ｂの半円周範囲内に少なくても１個存在するように図３に示す間隔Ｐをもって円形等（あるいは菱形など形状は特定しない）の目立ち易い形状の方向マーク片６Ａを全体幅Ｗ１の手摺ベルト６の表面を形成する両縁部６ｂを除いた平坦部６ａ（幅Ｗ２）の幅いっぱいに埋め込まれ、配置されている。この場合、間隔Ｐの設定は、乗り口階床にいる視覚の弱い高齢者などがエスカレーター１を遠望した時に該エスカレーター１の正面に少なくても１個出てくる方向マーク片６Ａの存在、すなわちエスカレーター１の存在と運転方向を容易に視認できることを意図したもので、実機検証したところ具体的には１ｍ前後が適当である（この際、寸法は特定しない）。また、視覚弱者が乗り口に達した時は、欄干５の上面で目の高さに近い位置に方向マーク片６Ａがあることによって視点が定まり、速度感も認識できて乗り込み（体重移動）のタイミングが取り易くなって、転倒事故の低減に寄与することができる。
【００１７】  ここで、ウレタン製手摺ベルト６の母材表面に同材質で異色（特定しないが黄色や白色等）の方向マーク片６Ａを一体化して設ける請求項１の製造概要の一例を図４に示す。図４に示したように円形等に切り抜いた方向マーク片６Ａ（板厚ｔは１ｍｍ以下の極薄板）を手摺ベルト６の所定箇所に位置決めした状態で加熱金型Ｋａの凹みにセットしてこの両者を軟化温度まで加熱、ある程度溶融させた状態でＣ字形開口部に差し入れた加圧金型Ｋｂを矢印Ｆのように加圧し、この加圧力による対する加熱金型Ｋａ側の反力（矢印Ｆａ）とで接合一体化するものである。この場合重要なことは、図４の下側に想像線で示した手摺ベルト６に対し方向マーク片６Ａを矢印Ｋのように貼り付ける側にウレタン接着剤層６Ｂを形成、また方向マーク６Ａが配置される手摺ベルト６の表面部にはプライマー剤層６Ｃの化学処理を施してあることである。なお、プライマー剤層６Ｃは、ウレタン材の場合、成型用に添加材として用いるワックス剤の成分が時間経過とともに表面側に移行して液体（材種によっては気体、粉体もある）になって浸み出す「ブリード現象」が生じ、手摺ベルト６に対する方向マーク片６Ａの接合強度が弱まるのを防ぐためであり、プライマー剤層６Ｃによって接合部におけるブリード現象を阻止するものでる。
【００１８】  さらに本発明の請求項２は、請求項１で製造されたウレタン製手摺ベルト６に対して、その移動方向を表示し、前記エスカレーター１に乗り移る際のタイミングを図る目印となる手摺ベルト６とは異色の方向マーク６ＡＡと、注意文字や広告等を表示した表示部６ＢＢを有する長尺（図５に示す長さＬは手摺ベルト６の長さと同等か継ぎ足して同等にしたもの）の印刷シート６６を前記手摺ベルト６の長手方向に沿って接着により貼付けて設けたエスカレーター用手摺ベルトとしたのである。この構成は特許文献２に開示した内容と同様、印刷シート６６に印刷される方向マーク６ＡＡは、前記方向マーク片６Ａと同様の間隔Ｐ、形状、幅Ｗ２、色調を有しつつ、当然ながらその視覚効果、安全効果も請求項１の方向マーク片６Ａと同等であるほか、表示部６ＢＢには「手摺をつかむこと」的な安全利用のための文言や広告が印刷されている。そして、図示は省略せるも、この場合も手摺ベルト６の表面に図４と同様のプライマー剤層６Ｃを設けてブリード現象の発生を防いでいる。なお、詳細は省略するも印刷シート６６は手摺ベルト６への接着層、印刷が施されるシート層に加え、表面のラミネート層などにより構成されるものである。
【００１９】  このように、方向マーク片６Ａが埋め込まれたウレタン製手摺ベルト６の表面に対して、方向マーク６ＡＡと表示部６ＢＢが印刷された長尺の印刷シート６６を貼り付けて設けたことにより、安全及び広告効果を発揮しつつ、この印刷シート６６の破れや表示内容の変更が生じ、該印刷シート６６を交換するためそれを剥がした場合は、手摺ベルト６に埋め込まれた方向マーク片６Ａが現出するので、方向表示手段の安全効果が失われることはなく常時継続される。
【００２０】  以上説明したように、本発明によればウレタン製手摺ベルト６の移動方向が見易く表示されてエスカレーターでの転倒事故や逆乗り等を防止することができるほか、方向マーク６Ａの接合強度の向上に寄与できる。また、印刷シート６６の破損時でも安全効果を失うことがない。
【産業上の利用可能性】
【００２１】  なお、上記の実施形態は、一般のエスカレーター構造を例に説明したが、隣接踏段同士に段差を有しない動く歩道と通称されるエスカレーターにもそのまま適用することができる。
【符号の説明】
【００２２】１  エスカレーター
４  踏段
６  手摺ベルト
６ａ  平坦部
６Ａ  方向マーク片
６６  印刷シート
６ＡＡ  方向マーク
６Ｂ  ウレタン接着剤層
６Ｃ  プライマイー剤層
６ＢＢ  表示部
【図１】
2018027853.tif 000003
【図２】
2018027853.tif 000004
【図３】
2018027853.tif 000005
【図４】
2018027853.tif 000006
【図５】
2018027853.tif 000007